(57)【特許請求の範囲】
【請求項１】
基台上に立設された複数本の支持柱を有するとともに、支持柱の上端間に設けられた架設部材を備え、その架設部材と火袋との間にはその火袋を伸長状態に保持する保持手段を備えた提灯において、
前記支持柱として断面円形の棒材を用いるとともに、その支持柱は基台の支持部に凹凸の嵌合関係によって支持され、且つ前記架設部材は凹凸の嵌合関係によって前記支持柱の上端間に支持され、
前記保持手段は、前記架設部材の両端外側面に形成されている下部係合部と、前記火袋が装着される上部口輪の内周面に形成されている上部係合部とにより構成された提灯。
【請求項２】
前記下部係合部及び前記上部係合部には、相互に係合する円弧面が形成されている請求項１に記載の提灯。
【請求項３】
前記支持柱はパイプ材よりなる請求項２に記載の提灯。
【発明の詳細な説明】
【技術分野】
【０００１】
本発明は、製造を簡略化できる提灯に関するものである。
【背景技術】
【０００２】
特許文献１〜３には提灯が開示されている。
特許文献１に記載された提灯においては、発光手段が設けられる基台の上面側に嵌込穴が設けられ、その嵌込穴には、火袋支持のための支持柱となる火袋吊り具の下端部が挿入されて、火袋吊り具が立てられている。
【０００３】
特許文献２に記載された提灯においては、台の上面側に上側凹部が形成され、その上側凹部に火袋を支持するための柱の下端部が挿入されている。
特許文献３に記載された提灯においては、基台に形成された凹部の内部には凹状接続部材が嵌め込まれ、火袋吊り具の下端部には凸状接続部材が取り付けられ、その凸状接続部材が凹状接続部材に嵌め込まれて火袋吊り具が基台上に立てられている。また、火袋吊り具の上端部及び雲手の各嵌込孔間に複数の部品よりなる接続部材が嵌め込まれて、その接続部材によって火袋吊り具に雲手が取り付けられている。
【先行技術文献】
【特許文献】
【０００４】
【特許文献１】特開平１１−２１３７０８号公報（図２等を参照）
【特許文献２】特開２００２−３１９３０１号公報（図４等を参照）
【特許文献３】特開２００４−４７４２９号公報（図２，図７等を参照）
【発明の概要】
【発明が解決しようとする課題】
【０００５】
特許文献１の提灯においては、前記火袋吊り具が角材によって形成され、その火袋吊り具の上端部に雲手が取り付けられている。ただし、雲手を取り付けるための手段については、開示されていない。
【０００６】
特許文献２の提灯においては、特許文献１と同様に、火袋吊り具を構成する柱が角材によって形成されるとともに、その火袋吊り具の上端部に雲手が取り付けられ、雲手を取り付けるための手段については、開示されていない。
【０００７】
特許文献３の提灯においては、前記特許文献１，２と同様に、火袋吊り具が角材によって形成されている。そして、基台に対する火袋吊り具の取り付けにおいては、前記凹状接続部材及び凸状接続部材が用いられ、さらに、火袋吊り具に対する雲手の取り付けにおいては、火袋吊り具及び雲手の双方に凹部が形成されるだけではなく、凹状接続部材及び凸状接続部材が用いられる。
【０００８】
従って、特許文献１〜３の提灯においては、火袋吊り具を角柱状に加工する必要があって、その加工に手間を要する。特許文献３においては、火袋吊り具の上端部側及び下端部側にそれぞれ凹状接続部材及び凸状接続部材が設けられるため、部品点数が多くなって、構造が複雑になり、組み付けに手間がかかる。
【０００９】
本発明の目的は、構成が簡単で、製造を容易にした提灯を提供することにある。
【課題を解決するための手段】
【００１０】
上記の目的を達成するために、本発明においては、基台上に立設された複数本の支持柱を有するとともに、支持柱の上端間に設けられた架設部材を備え、その架設部材と火袋との間にはその火袋を伸長状態に保持する保持手段を備えた提灯において、前記支持柱として断面円形の棒材を用いるとともに、その棒材は基台の支持部に凹凸の嵌合関係によって支持されていることを特徴とする。
【００１１】
以上の構成においては、支持柱が断面円形の棒材によって構成されているため、製造が簡単である。また、その支持柱が基台の支持部に対して凹凸の嵌合関係によって支持されているだけであるから、組み付けが容易である。
【発明の効果】
【００１２】
本発明によれば、提灯を容易に製造することができる効果がある。
【図面の簡単な説明】
【００１３】
【図１】提灯の斜視図。
【図２】提灯の分解斜視図。
【図３】提灯の一部省略全体断面図。
【図４】火袋の上部口輪と保持手段との関係を示す平面図。
【図５】火袋が移動した状態を示す平面図。
【図６】下部係合部と上部係合部との関係を示す断面図。
【図７】下部係合部と上部係合部との関係を示す断面図。
【図８】基台の支持部の変更例を示す断面図。
【図９】把手の支持構成の変更例を示す断面図。
【図１０】火袋支持部材の変更例を示す断面図。
【発明を実施するための形態】
【００１４】
（実施形態）
以下、本発明を具体化した実施形態を図面に基づいて説明する。
図１〜図３に示すように、提灯の基台１１の上板部１１１には通気孔１１２が透設されるとともに、上板部１１１の中心には上方に向かってボス筒１２が形成されている。ボス筒１２には照明具１３のスタンド部１３１が挿入支持され、このスタンド部１３１は、ネジ１３３に螺合されたナット１４と段差１３２との作用によってボス筒１２に固定されている。スタンド部１３１の上端には電球１５が取り付けられ、電球１５の外周には線材１６が取り付けられ、この線材１６の上端の軸部１６１に模様（図示しない）を有する回転灯籠１７が支持されている。そして、電球１５の熱に基づく前記通気孔１１２からの上昇気流が回転灯籠１７の上端の羽根部１７１を通過することにより、回転灯籠１７が回転される。
【００１５】
前記基台１１の上板部１１１には１８０度の角度間隔をおいて平面円形をなす一対の支持部としての凹部２１が形成されている。その両凹部２１には、棒材としての断面円形のパイプ材よりなる支持柱２２が着脱可能に圧入支持されて、これらの支持柱２２は平行をなすように直立されている。
【００１６】
支持柱２２の上端開口には、アーチ状をなす架設部材としての把手２３の両端の突部２３１が着脱可能に圧入されて、この把手２３が支持柱２２の上端に支持されている。把手２３の両端部の外側面には受け部２４が一体形成され、この受け部２４には上方へ向かって突出する掛け止め部２５が一体形成されている。この受け部２４と掛け止め部２５とにより下部係合部２８が形成されている。図６及び図７に示すように、受け部２４及び掛け止め部２５には、移動抑制手段として、上方へ膨らむ曲面である円弧面２４１，２５１がそれぞれ形成されている。前記支持柱２２と把手２３とにより、火袋支持部材２７が構成されている。
【００１７】
図３に示すように、前記基台１１の上板部１１１の外周には環状の装着溝を有し、下部口輪を構成する溝部材２６が配置され、この溝部材２６の環状溝には前記火袋支持部材２７を包囲する状態で上下方向に伸縮可能な蛇腹状の火袋３１の下端の被挟入部３１１が挟入支持されている。図３及び図６に示すように、火袋３１の上端の被挟入部３１２には円環状の上部口輪３２が装着されている。すなわち、上部口輪３２には環状溝３２１が形成され、この環状溝３２１に火袋３１の被挟入部３１２が挟入固定されている。
【００１８】
図３〜図５に示すように、上部口輪３２の内周面には１８０度の角度間隔を隔てて、被受け部３３が一体形成され、この被受け部３３には下方へ向かって突出する被掛け止め部３４が一体形成されている。この被受け部３３と被掛け止め部３４とにより上部係合部２９が形成されている。被受け部３３及び被掛け止め部３４には、移動抑制手段として、上方へ凹む曲面である円弧面３３１，３４１がそれぞれ形成されている。この円弧面３３１，３４１の曲率と、前記下部係合部２８の円弧面２４１，２５１の曲率とは同等に形成されている。
【００１９】
前記下部係合部２８と上部係合部２９とにより、火袋３１を支持柱２２に対して伸長状態で保持するための保持手段が構成されている。
前記基台１１，支持柱２２，把手２３及び上部口輪３２は合成樹脂によって構成されている。また、基台１１，支持柱２２及び把手２３のうち、少なくとも支持柱２２は透明な合成樹脂によって構成されている。
【００２０】
以上のように構成された提灯は以下のようにして組み立てられる。
まず、基台１１の溝部材２６内に、火袋３１の下端の被挟入部３１１を挟入固定する。また、これと相前後して、基台１１の凹部２１に支持柱２２の端部を圧入固定して、その支持柱２２を立てる。さらに、支持柱２２の上端に把手２３の突部２３１を圧入固定して、支持柱２２の上端に把手２３を取り付ける。なお、一対の支持柱２２に対する把手２３の取り付けは、基台１１に対する支持柱２２の取り付けの前に行ってもよい。
【００２１】
次いで、火袋３１を上方に伸長させて、上部口輪３２の内周の上部係合部２９の被受け部３３を把手２３の下部係合部２８の受け部２４上に係合させる。このようにすれば、被受け部３３の円弧面３３１が掛け止め部２５の円弧面２５１に当接するとともに、被掛け止め部３４の円弧面３４１は受け部２４の円弧面２４１に当接する。従って、上部口輪３２は横方向（図６の左右方向）にずれることが抑制され、位置保持される。
【００２２】
このような提灯は、把手２３を持つことにより吊り下げることができる。すなわち、火袋３１の伸長状態では、火袋３１側の上部係合部２９が把手２３の下部係合部２８の上側において上部係合部２９に係合されているため、火袋３１が把手２３に吊り下げられる。また、把手２３が支持柱２２に圧入されるとともに、その支持柱２２が基台１１の凹部２１に圧入されているため、火袋３１が折り畳まれていて、把手２３に吊り下げられていない状態であっても、下部係合部２８と上部係合部２９との係合により、支持柱２２や基台１１が把手２３に吊り下げされる。従って、把手２３を持つことにより、提灯を移動させることができる。
【００２３】
そして、提灯の移動等に際して、何らかの原因で、把手２３が移動しない状態で、下部係合部２８と上部係合部２９との係合が外れ、上部口輪３２が図５に矢印で示す横方向にずれた場合は、同図５の２点鎖線から明らかなように、上部口輪３２の内周面が下部係合部２８に当接する。このため、上部口輪３２のそれ以上の移動，すなわち上部口輪３２の径方向と交差する方向への移動が阻止され、その結果、火袋３１等の倒伏を抑えることができる。
【００２４】
そして、本実施形態においては、以下の効果がある。
（１）支持柱２２が合成樹脂製のパイプ材によって構成されているため、その支持柱２２の製造が容易である。また、支持柱２２がパイプ材であるため、提灯全体の軽量化に寄与できる。さらに、支持柱２２がパイプ材であるため、その長さを自在に選択でき、高さの異なる提灯に容易に対応できる。
【００２５】
（２）支持柱２２は、基台１１の凹部２１内に圧入されるだけであるため、支持柱２２の組み付けが容易である。また、把手２３は、その突部２３１が支持柱２２の上端に圧入されるだけであるため、組み付けが容易である。
【００２６】
（３）支持柱２２や把手２３が圧入によって組み付けられているため、それらの分解が容易であり、保管や収納に便利である。
（４）下部係合部２８及び上部係合部２９には、相互に係合する円弧面２４１，２５１，３３１，３４１が形成されているため、火袋３１の上部口輪３２の横ずれを抑制でき、火袋３１を伸長状態の定位置に保持できる。
【００２７】
（５）仮に、上部係合部２９が下部係合部２８から外れて、火袋３１の上部口輪３２が横ずれされたとしても、わずかに横ずれしたところで、上部口輪３２の内周面が下部係合部２８に係合するため、火袋３１の倒伏を防止できる。
【００２８】
（６）少なくとも、支持柱２２が透明な合成樹脂によって構成されているため、電球１５からの投射光により火袋３１に支持柱２２等が投影されることを抑えることができて、外観の優れた提灯を実現できる。
【００２９】
（変更例）
なお、本発明は前記実施形態に限定されるものではなく、以下のような態様で具体化することができる。
【００３０】
・図８に示すように、支持柱２２を支持するための基台１１の上板部１１１の支持部として、前記実施形態の凹部２１に代えて、凸部４１を一体形成すること。この構成においては、凸部４１に対して支持柱２２の下端が締まり嵌め状に外嵌される。
【００３１】
・図９に示すように、棒材よりなる支持柱２２として、パイプ材に代えて、円形断面の充実体を用いること。
・図９に示すように、把手２３の両端に孔２３２を設け、その孔２３２において把手２３を支持柱２２の上端に対して締まり嵌め状に外嵌すること。
【００３２】
・把手２３の上部に紐が結びつけられる部分を設け、提灯を紐や、紐に連結されるバーによって吊り下げられるようにすること。
・前記実施形態では、移動抑制手段として円弧面２４１，２５１，３３１，３４１を設けたが、それに代えて、楕円等の円弧以外の曲面や、あるいは三角形状や四角形状の互いに嵌合する凹凸を設けること。
【００３３】
・図１０に示すように、火袋支持部材２７の架設部材としての把手２３を支持柱２２と一体に構成すること。この場合、把手２３は支持柱２２と同じ径の断面形状に形成されることが製造上有利であり、下部係合部２８は、火袋支持部材２７の直立部分に配置される。
【００３４】
・基台１１，支持柱２２及び把手２３のうち、少なくとも支持柱２２を半透明な合成樹脂によって構成すること。
・基台１１，支持柱２２及び把手２３を不透明な合成樹脂によって構成すること。
【００３５】
・支持柱２２の本数を３本以上に変更すること。
（他の技術的思想）
前記実施形態から把握される技術的思想は以下の通りである。
【００３６】
（Ａ）前記基台，支持柱及び架設部材のうち、少なくとも支持柱は透明または半透明な合成樹脂によって構成されている請求項１〜３のうちのいずれか一項に記載の提灯。
（Ｂ）前記火袋の上部口輪及び架設部材は、前記火袋を伸長状態に保持するための保持手段を有する請求項２，３，前記技術的思想（Ａ）項のうちのいずれか一項に記載の提灯。
【００３７】
（Ｃ）前記保持手段は、前記火袋の上部口輪に形成された上部保持突起と、前記架設部材に形成された下部保持突起とよりなり、前記上部保持突起及び下部保持突起は、互いに係合して、前記上部口輪がその径方向に移動される力に抗する移動抑制手段を有する請求項１〜３，前記技術的思想（Ａ）項，（Ｂ）項のうちのいずれか一項に記載の提灯。
【００３８】
（Ｄ）前記上部保持突起及び下部保持突起が、凹凸の関係で係合して、上部口輪がその径方向と交差する方向に移動することを防止する係合面を有する前記技術的思想（Ｃ）項に記載の提灯。
【００３９】
（Ｅ）前記上部保持突起及び下部保持突起の係合面を円弧面によって構成した前記技術的思想（Ｄ）項に記載の提灯。
【符号の説明】
【００４０】
１１…基台、２１…凹部、２２…支持柱、２３…把手、２４…受け部、２４１…円弧面、２５…掛け止め部、２５１…円弧面、２８…下部係合部、２９…上部係合部。３１…火袋、３３１…円弧面、３４１…円弧面。
【図１】
0006437470.tif 000002
【図２】
0006437470.tif 000003
【図３】
0006437470.tif 000004
【図４】
0006437470.tif 000005
【図５】
0006437470.tif 000006
【図６】
0006437470.tif 000007
【図７】
0006437470.tif 000008
【図８】
0006437470.tif 000009
【図９】
0006437470.tif 000010
【図１０】
0006437470.tif 000011